(57)【要約】【課題】状況に応じて被服への装着手段を選択できると共に、一方の装着手段を使用した場合に他方の装着手段が邪魔にならない情報表示札を提供する。【解決手段】情報表示部材に設けられた第一装着部に対して連結部材を介して第二装着部材を着脱可能に連結する情報表示体において、第一装着部に被装着物にピン止めするためのピンを設け、第二装着部材に被装着物を挟持するための一対の挟持部と該一対の挟持部を閉じた状態で一対の挟持部の開口方向と逆方向に伸びる操作部とを設け、第二装着部材を操作部を回転させることによって一対の挟持部が開閉できるように構成し、第一装着部が連結部材に対して筒部にピンを抜き差しすることによって着脱可能に連結され、第二装着部材が連結部材に対して操作部の回転方向を筒部の貫通方向と垂直に交差する方向に向けた状態で連結されるようにする。【選択図】  図１
2015011102.tif 000002
【特許請求の範囲】
【請求項１】
情報表示部材に設けられた第一装着部に対して連結部材を介して第二装着部材を着脱可能に連結する情報表示体であって、第一装着部が被装着物にピン止めするためのピンを有しており、第二装着部材が被装着物を挟持するための一対の挟持部と該一対の挟持部を閉じた状態で一対の挟持部の開口方向と逆方向に伸びる操作部とを有していると共に該操作部を回転させることによって一対の挟持部が開閉できるようになっており、第一装着部が連結部材に対して筒部にピンを抜き差しすることによって着脱可能に連結されており、第二装着部材が連結部材に対して操作部の回転方向を筒部の貫通軸と垂直に交差又は立体交差する方向に向けた状態で連結されていることを特徴とする情報表示体。
【請求項２】
第二装着部材が連結部材に対して回転可能に連結される請求項１記載の情報表示体。
【請求項３】
第二装着部材が連結部材の筒部の貫通軸を含む平面と異なる平面上を回転し、第二装着部材を連結部材に対して回転させた際に両部材が干渉しないようになっている請求項２記載の情報表示体。
【請求項４】
前記請求項１乃至３のいずれかに記載の情報表示体に用いられる連結部材。
【請求項５】
情報表示部材に設けられた第一装着部に対して第二装着部材を着脱可能に連結する情報表示体であって、第一装着部が被装着物にピン止めするためのピンを有しており、第二装着部材が被装着物を挟持するための一対の挟持部と該一対の挟持部を閉じた状態で一対の挟持部の開口方向と逆方向に伸びる操作部を有していると共に操作部を回転させることによって一対の挟持部が開閉できるようになっており、操作部に回転方向と垂直に交差又は立体交差する方向に向かって貫通する筒部が形成されており、第二装着部材が第一装着部のピンを筒部に抜き差しすることによって該第一装着部に対して着脱可能に連結されていることを特徴とする情報表示体。
【発明の詳細な説明】
【技術分野】
【０００１】
本発明は、情報表示体及び該情報表示体に用いられる連結部材に関するものである。
【背景技術】
【０００２】
周知のとおり、学校で使用される名札や会議や会合において配布される識別札などの情報表示札は、安全ピンを備えた態様のものが多く、情報表示札を被服に取り付けようとすると、被服に対して安全ピンのピンを通すための穴を開ける必要があり、使用者が敬遠することが多々あった。
【０００３】
このため、被服に対して穴を開けずに取り付けることができる情報表示札が多数開発されており、例えば、後出特許文献１には、一端を固定し他端を開閉するようにした２枚のシートの固定端にクリップの柄板を固定すると共に、各開閉端に互いに係着するスナップ式係着具を設けて同開閉端を併せて結合し、２枚のシート間にある上記スナップ式係着具の連結部材が名札板上部に明けた孔に挿通されるようになっているクリップ付き名札が開示されている。
【０００４】
また、安全ピンを備えた情報表示札を被服に対して穴を開けずに取り付ける方法として、例えば、被服の一部に名札保持部を設け、この名札保持部に名札に設けられた安全ピンのシャフト部をその長手方向の直角の方向から差し込んで着脱可能に係止することが可能な係止部を設ける方法が開示されている。
【先行技術文献】
【特許文献】
【０００５】
【特許文献１】特開昭５６−１４２０８５号公報
【特許文献２】特開平１０−１２３９６０号公報
【発明の概要】
【発明が解決しようとする課題】
【０００６】
しかし、前記特許文献１に開示されたクリップ付き名札においては、クリップで被服を挟んで取り付けるため、被服に穴を開ける必要がないが、被服の素材によっては簡単に外れてしまい、また、学校で使用される名札は、使用者が活発な子供であるため、その激しいに動きに耐えることができずに外れてしまうという問題点があった。
【０００７】
一方、前記特許文献２に開示された方法においては、予め被服に対して安全ピンのシャフト部を保持する係止部を取り付けるために被服に加工を施す必要があり、学校や会社などの制服のように頻繁に着用される被服に情報表示札の取り付け手段としては有用であるが、会議や会合などにおいて配布される情報表示札のようにその場限りで使用される情報表示札の取り付け手段としては有用でないという問題点があった。
【０００８】
そこで、本発明者は、状況に応じて被服への装着手段を選択できると共に、一方の装着手段を使用した場合に他方の装着手段が邪魔にならない情報表示札を得ることを技術的課題として、その具現化をはかるべく、試行錯誤的に試作・実験を重ねた結果、情報表示部材に設けられた第一装着部に対して連結部材を介して第二装着部材を着脱可能に連結する情報表示体において、第一装着部に被装着物にピン止めするためのピンを設け、第二装着部材に被装着物を挟持するための一対の挟持部と該一対の挟持部を閉じた状態で一対の挟持部の開口方向と逆方向に伸びる操作部とを設け、第二装着部材を操作部を回転させることによって一対の挟持部が開閉できるように構成し、第一装着部が連結部材に対して筒部にピンを抜き差しすることによって着脱可能に連結され、第二装着部材が連結部材に対して操作部の回転方向を筒部の貫通方向と垂直に交差する方向に向けた状態で連結されるようにすれば、状況に応じて被服への装着手段を選択できると共に、一方の装着手段を使用した場合に他方の装着手段が邪魔にならないという刮目すべき知見を得、前記技術的課題を達成したものである。
【課題を解決するための手段】
【０００９】
前記技術的課題は、次の通りの本発明によって解決できる。
【００１０】
すなわち、本発明に係る情報表示体は、情報表示部材に設けられた第一装着部に対して連結部材を介して第二装着部材を着脱可能に連結する情報表示体であって、第一装着部が被装着物にピン止めするためのピンを有しており、第二装着部材が被装着物を挟持するための一対の挟持部と該一対の挟持部を閉じた状態で一対の挟持部の開口方向と逆方向に伸びる操作部とを有していると共に該操作部を回転させることによって一対の挟持部が開閉できるようになっており、第一装着部が連結部材に対して筒部にピンを抜き差しすることによって着脱可能に連結されており、第二装着部材が連結部材に対して操作部の回転方向を筒部の貫通軸と垂直に交差又は立体交差する方向に向けた状態で連結されているものである。
【００１１】
また、本発明は、前記情報表示体において、第二装着部材が連結部材に対して回転可能に連結されるものである。
【００１２】
また、本発明は、前記情報表示体において、第二装着部材が連結部材の筒部の貫通軸を含む平面と異なる平面上を回転し、第二装着部材を連結部材に対して回転させた際に両部材が干渉しないようになっているものである。
【００１３】
また、本発明に係る連結部材は、前記いずれかの情報表示体に用いられるものである。
【００１４】
また、本発明に係る情報表示体は、情報表示部材に設けられた第一装着部に対して第二装着部材を着脱可能に連結する情報表示体であって、第一装着部が被装着物にピン止めするためのピンを有しており、第二装着部材が被装着物を挟持するための一対の挟持部と該一対の挟持部を閉じた状態で一対の挟持部の開口方向と逆方向に伸びる操作部を有していると共に操作部を回転させることによって一対の挟持部が開閉できるようになっており、操作部に回転方向と垂直に交差する方向に向かって貫通する筒部が形成されており、第二装着部材が第一装着部のピンを筒部に抜き差しすることによって該第一装着部に対して着脱可能に連結されているものである。
【発明の効果】
【００１５】
本発明によれば、第一装着部が連結部材に対して筒部にピンを抜き差しすることによって着脱可能に連結され、第二装着部材が連結部材に対して操作部の回転方向を筒部の貫通方向と垂直に交差又は立体交差する方向に向けた状態で連結されるように構成したので、被装着物に対して情報表示部材を第一装着部で取り付ける場合には、情報表示部材から連結部材及び第二装着部材を取り外すことができ、第二装着部材及び連結部材が邪魔にならず、一方、被装着物に対して情報表示部材を第二装着部材で取り付ける場合には、第一装着部が連結部材に対してピンを回転軸として回転自在に連結されていると共に、第二装着部材が連結部材に対して操作部の回転方向に対して垂直に伸びる平面が筒部の貫通方向に対して常に平行に位置付けられた状態となり、情報表示部材、第一装着部、連結部材及び第二装着部材が側面視直線的に位置付けられるため、情報表示体全体が平坦状になって邪魔にならない。
【００１６】
従って、本発明の産業上利用性は非常に高いといえる。
【図面の簡単な説明】
【００１７】
【図１】実施の形態１に係る情報表示体を示した正面図である。
【図２】図１に示す情報表示体を示した側面図正面図である。
【図３】図１に示す情報表示体を分解して示した正面図である。
【図４】図１に示す第二装着部材を示した分解斜視図である。
【図５】図４に示す一方側挟持体を示した平面図である。
【図６】図４に示す一方側挟持体を示した底面図である。
【図７】図４に示す一方側挟持体を示した中央縦断面図である。
【図８】図４に示す他方側挟持体を示した平面図である。
【図９】図４に示す他方側挟持体を示した底面図である。
【図１０】図４に示す他方側挟持体を示した中央縦断面図である。
【図１１】図４に示す操作体を示した平面図である。
【図１２】図４に示す操作体体を示した底面図である。
【図１３】図４に示す操作体を示した中央縦断面図である。
【図１４】図４に示す第二装着部材の両挟持体を閉じた状態を示した縦端面図である。
【図１５】図４に示す第二装着部材の両挟持体を開いた状態を示した縦端面図である。
【図１６】図１に示す連結部材を示した背面図である。
【図１７】図１に示す連結部材を示した中央縦断面図である。
【図１８】図１に示す情報表示体の使用例を示した正面図である。
【図１９】実施の形態２に係る第二装着部材及び連結部材を示した中央縦断面図である。
【図２０】実施の形態２に係る第二装着部材を示した正面図である。
【図２１】図２０に示す第二装着部材を示した中央縦断面図である。
【発明を実施するための形態】
【００１８】
以下、本発明の実施の形態を説明する。
【００１９】
実施の形態１．
【００２０】
本実施の形態に係る情報表示体１は、図１〜図３に示すように、被服などの被装着物にピン止めするための第一装着部２を備えた情報表示部材３と、被装着物を挟持するための第二装着部材４と、第一装着部２と第二装着部材４の間に介在して第一装着部２と第二装着部材４とを連結する連結部材５とから構成されている。
【００２１】
情報表示部材３は、図３に示すように、名前や番号などの情報を表示するための情報表示部６と、情報表示部６を被装着物に対してピン止めするための第一装着部２とから構成されている。
【００２２】
情報表示部６は、情報が表示されたカード７と、カード７を収納することができるケース部８とから構成されている。そして、ケース部８は、四角形状のシートを二重に重ねて上辺を除く周辺を接着することによってポケット状に形成されており、一方のシートの上辺に第一装着部２を取り付けるための正面視台形状の筒型取付部９が設けられている。なお、ケース部８は、外部からカード７に表示された情報が目視できるように一部又は全部が透明になっている。
【００２３】
第一装着部２は、弾性を有する金属製の線材を加工してなる所謂安全ピンである。具体的には、線材は、コイル部１０から一対の軸部１１，１２がくの字状に伸びる形状に成形されており、一方側の軸部１１は先端が針状に成形されたピン１３となっており、他方側の軸部１２の先端にピン１３を掛け止めることができる掛止部１４が固定されている。なお、掛止部１４にピン１３を掛け止める際には、くの字状に伸びる一対の軸部１１，１２を線材の弾性に抗して平行に位置付けるように変形させる必要がある。
【００２４】
第二装着部材４は、図４に示すように、一方側挟持体１５と該一方側挟持体１５と対向するように配置される他方側挟持体１６と該他方側挟持体１６の後部に嵌め込んだ操作体１７（操作部）とから構成されている。
【００２５】
一方側挟持体１５は、図４〜図７に示すように、前方側に被装着物を挟持する挟持部１８が設けられ、後方側に矩形の嵌合窓１９が設けられ、嵌合窓１９の両側には側壁２０，２０が設けられ、両側壁２０，２０には支持軸２１が架設されている。また、一方側挟持体１５の挟持部１８には、他方側挟持体１６と対向する面に挟持歯２２が設けられている。他方側挟持体１６は、図４及び図８〜図１０に示すように、前方側に被装着物を挟持する挟持部２３が設けられ、後方側に下方に突き出した一方側挟持体１５の嵌合窓１９に嵌まる形状の側面視略凹状嵌合板２４が設けられている。また、他方側挟持体１６の挟持部２３には、一方側挟持体１５の挟持歯１８と噛み合うように挟持歯２５が設けられている。操作体１７は、図４及び図１１〜図１３に示すように、前部に一方側挟持体１５の支持軸２１に回動自在に嵌着される軸受部２６が横断して形成されており、軸受部２６の下部には嵌合板２４の上面を押圧するカム２７が形成されており、後部に第一嵌合部２８が形成されている。なお、操作体１７の第一嵌合部２８は、一方側挟持体１５の外面に続く面（図１４参照）に形成された一方側開口２９が他方側挟持体１６の外面に続く面（図１４参照）に形成された他方側開口３０よりも小径に形成された通孔状になっており、これにより、第一嵌合部２８の内周には、両開口２９，３０の径の違いに伴って段差３１が形成される。なお、一方側挟持体１５の両側壁２０，２０には、支持軸２１よりも後方に位置付けて操作体１７の回転により他方側挟持体１６が開閉するように誘導する支持棚３２が架設けられており、また、他方側挟持体１６の嵌合板２４後部には、一方側挟持体１５の支持棚３２を摺動しながら他方側挟持体１６の挟持部２３を開閉させる摺動軸３３が設けられている。
【００２６】
そして、第二装着部材４は、図１４及び図１５に示すように、他方側挟持体１６の嵌合板２４を一方側挟持体１５の前方から支持軸２１の下に向かって通して一方側挟持体１５の嵌合窓１９に嵌め込むように位置付けて、他方側挟持体１６の摺動軸３３を一方側挟持体１５の支持棚３２に当接させて載せた状態とした後に他方側挟持体１６の後方から支持軸２１に操作体１７の軸受部２６を嵌め入れて操作体１７を支持軸２１を中心として回し、操作体１７のカム２７を他方側挟持体１６の嵌合板２４の上面に乗り上げる前の状態に位置付ければ、一方側挟持体１５の挟持部１８と他方側挟持体１６の挟持部２３とが開口した状態で保持され、操作体１７のカム２７を他方側挟持体１６の嵌合板２４の上面に乗り上げて一方側挟持体１５と他方側挟持板１６と操作体１７とが側面視直線的に位置付けられた状態にすれば、一方側挟持体１５の挟持部１８と他方側挟持体１６の挟持部２３とが閉口した状態で保持されるようになっている。よって、第二装着部材４における操作体１７は、一対の挟持部１８，２３を閉口した状態において一対の挟持部１８，２３が開口した際の開口方向（図１５中、矢印Aにて示す。）と逆方向に伸びるように位置付けられ、また、操作体１７の第一嵌合部２８は、一対の挟持部１８，２３を閉じた状態から開く際に操作部２３を回転させる方向（図１４中、矢印Bにて示す。）に伸びるように開口している。
【００２７】
連結部材５は、図１、図１６及び図１７に示すように、情報表示部材３に設けられた第一装着部２のピン１３が抜き差しされる筒部３４と、筒部３４の中央部分に一方面が固定された扁平状の円盤部３５と、円盤部３５の他方面から突出する円筒状の第二嵌合部３６とから構成されている。円盤部３５は、筒部３４に対して一方面の周縁の一部が固定させており、筒部３４から突き出した状態になっている。従って、連結部材５の第二嵌合部３６は、筒部３４の貫通軸に対して垂直に立体交差するように伸びた状態となる。また、第二嵌合部３６は、先端側の外径が元端側の外径よりも僅かに大径に形成されており、第二嵌合部３６の先端側の外径は、操作体７の一方側開口２９の内径よりも僅かに大径に形成されており、第二嵌合部３６の先端部分には、先端から元端側に向かって切り欠かれてなる一対の切込み３７，３７が形成されている。
【００２８】
次に、本実施の形態に係る情報表示体１の組立方法を説明する。
【００２９】
先ず、第一装着部２のピン１３を掛止部１４から外した状態とし、第一装着部２の他方側の軸部１２を情報表示部６の取付部９に通すことにより、情報表示部６に第一装着部２を取り付ける。次に、第一装着部２の掛止部１４から外された状態のピン１３を連結部材５の筒部３４に通した後に該ピン１３を掛止部１４に掛け止めることにより、第一装着部２に連結部材５をピン１３を回転軸として回転自在に取り付ける。次に、連結部材５の第二嵌合部３６を第二装着部材４の第一嵌合部２８に対して嵌め込むことにより、連結部材５に第二装着部材４を取り付ける。これにより、第二装着部材４は、操作体１７の回転方向を筒部３４の貫通軸と垂直に立体交差する方向に向けた状態で連結部材５に連結され、また、第二装着部材４が連結部材５に対して第二嵌合部３６を回転軸として回転自在になる。なお、連結部材５の第二嵌合部３６を第二装着部材４の第一嵌合部２８に嵌め込む際には、第二嵌合部３６を第一嵌合部２８の一方側開口２９側から差し込んで嵌め込み、この時、第二嵌合部３６の先端側の外径が第一嵌合部２８の一方側開口２９の内径よりも僅かに大径に形成されているため、第二嵌合部３６の先端側が切込み３７の隙間を狭めるように変形して第一嵌合部２８に嵌め込まれた後、第二嵌合部３６の先端側が第一嵌合部２８の内周の段差３１に引っ掛かった状態となって簡単に外れないようになる。また、連結部材５に対して第二装着部材４を第二嵌合部３６を回転軸として回転させた際に、第二装着部材４は連結部材５と干渉しないようになっている。（図２中、点線にて示すように、第二装着部材４の挟持部１５の表面が連結部材５の筒部３４と接触しないようになっている。）
【００３０】
次に、本実施の形態に係る情報表示体１の使用方法を説明する。
【００３１】
本実施の形態に係る情報表示体１を手渡された使用者は、被装着物に対して情報表示部材３を第一装着部２で取り付けるか、又は、第二装着部材４で取り付けるかを選択する。
【００３２】
そして、被装着物に対して情報表示部材３を第一装着部２で取り付けることを選択した使用者は、第一装着部２の掛止部１４からピン１３を外して該ピン１３から連結部材５を抜き取ることによって情報表示部材３から連結部材５及び第二装着部材４を取り外す。そして、第一装着部２のピン１３を利用して被装着物に情報表示部材３をピン止めする。これにより、被装着物に対して第一装着部２によって情報表示部材３を取り付ける際に、第二装着部材４及び連結部材５は邪魔にならない。
【００３３】
一方、被装着物に対して情報表示部材３を第二装着部材４で取り付けることを選択した使用者は、情報表示部材３に設けられた第一装着部２に連結部材５を介して第二装着部材４を連結させた状態で、第二装着部材４の操作体１７を操作して一対の挟持部１８，２３を開閉させることにより、第二装着部材４を利用して被装着物に情報表示部材３を挟み止める。この時、連結部材５が筒部３４を介して第一装着部２のピン１３に回転自在に連結されていると共に、第二装着部材４が一対の挟持部１８，２３を閉口した状態において該一対の挟持部１８，２３の開口方向を筒部３４の貫通方向に対して垂直に交差する方向に向けた状態で位置付けられるため、情報表示部材３、第一装着部２、連結部材５及び第二装着部材４が側面視一直線上に位置付けられることにより、情報表示体１が平坦状になって邪魔にならない。
【００３４】
また、本実施の形態に係る情報表示体１によれば、第二装着部材４に設けられた第一嵌合部２８と連結部材５に設けられた第二嵌合部３６とが円形状であるため、連結部材５に対して第二装着部材４が第二嵌合部３６を回転軸として回転自在となっており、情報表示体１の装着場所の自由度が増す。例えば、図１８に示すように、ワイシャツの前立て３８に対して情報表示体１を装着する場合には、前立て３８の前側に位置する生地を側方から第二装着部材４で挟み込み、第二装着部材４に対して筒部３４の貫通軸が水平に向くように連結部材５を回転させればよい。
【００３５】
なお、本実施の形態においては、第一嵌合部２８と第二嵌合部３６とを円形状に形成することによって連結部材５に対して第二装着部材４を回転できる構成にしているが、これに限定されず、第一嵌合部２８と第二嵌合部３６とを互いに嵌まり合う多角形状に形成してもよい。但し、この場合には、連結部材５に対して第二装着部材４を回転できなくなるが、連結部材５に対して第二装着部材４を所定角度で固定することができるようになる。また、本実施の形態においては、第一嵌合部２８を通孔状に形成すると共に第二嵌合部３６を突起状に形成しているが、これに限定されず、第一嵌合部２８と第二嵌合部３６とが簡単に着脱できるように嵌まり合う構造であれば特に限定されない。さらに、本実施の形態においては、連結部材５の第二嵌合部３６を筒部３４の貫通軸と立体交差するように突出させているが、筒部３４の貫通軸と交差するように突出させてもよい。
【００３６】
また、本実施の形態において、連結部材５に対して第二装着部材４を第二嵌合部３６を回転軸として回転させた際に第二装着部材４の外面が連結部材５に干渉しないようになっているが、少なくとも第二装着部材４が一対の挟持部１８，２３が閉口した状態で回転させた際に干渉しないように構成すればよく、さらに、第二装着部材４が一対の挟持部１８，２３が開口した状態で回転させた際に干渉しないように構成してもよい。また、連結部材５に対して第二装着部材４をどの角度に回転させたとしても、第二装着部材４が一対の挟持部１８，２３を開閉させた際に干渉しないように形成してもよい。
【００３７】
また、本実施の形態においては、情報表示部材３として第一装着部２が情報表示部６に対して着脱可能に取り付けられたものを採用しているが、第一装着部２が情報表示部６に対して固定されたものを採用してもよい。
【００３８】
実施の形態２．
【００３９】
本実施の形態は前記実施の形態１における両嵌合部の変形例であり、図１９において、図１〜図１８と同一符号は同一又は相当部分を示している。
【００４０】
本実施の形態に係る第一嵌合部３９は、図１９に示すように、第二装着部材４の一方側挟持体１１における挟持部１８の表面から突出しており、操作体１７の回転方向と平行に伸びている。また、本実施の形態に係る第二嵌合部４０は、連結部材５の円盤部３５における裏面を凹状に切り欠いて形成されている。そして、第二装着部材４は連結部材５の第一嵌合部３９に対して第二嵌合部４０を嵌め込むことによって着脱・回転可能に連結されている。
【００４１】
実施の形態３．
【００４２】
本実施の形態は前記実施の形態１における第二装着部材の変形例であり、図２０及び図２１において、図１〜図１８と同一符号は、同一又は相当部分を示している。
【００４３】
本実施の形態に係る第二装着部材４１は、前記実施の形態１における第二装着部材４の操作体１７に連結部材５の筒部３４が一体的に成形された態様のものである。具体的には、図２０及び図２１に示すように、操作体１７の先端に第一装着部２のピン１３を抜き差しすることができる筒部４２が一体的に形成されている。なお、筒部４２は、操作体１７の回転方向及び一対の挟持部１８，２３の開口方向と垂直に交差する方向に貫通するように形成されている。
【符号の説明】
【００４４】
１  情報表示体
２  第一装着部
３  情報表示部材
４  第二装着部材
５  連結部材
６  情報表示部
７  カード
８  ケース部
９  取付部
１０  コイル部
１１  一方側の軸部
１２  他方側の軸部
１３  ピン
１４  掛止部
１５  一方側挟持体
１６  他方側挟持体
１７  操作体
１８  挟持部
１９  嵌合窓
２０  側壁
２１  支持軸
２２  挟持歯
２３  挟持部
２４  嵌合板
２５  挟持歯
２６  軸受部
２７  カム
２８  第一嵌合部
２９  一方側開口
３０  他方側開口
３１  段差
３２  支持棚
３３  摺動軸
３４  筒部
３５  円盤部
３６  第二嵌合部
３７  切込み
３８  前立て
３９  第一嵌合部
４０  第二嵌合部
４１  第二装着部材
４２  筒部
【図１】
2015011102.tif 000003
【図２】
2015011102.tif 000004
【図３】
2015011102.tif 000005
【図４】
2015011102.tif 000006
【図５】
2015011102.tif 000007
【図６】
2015011102.tif 000008
【図７】
2015011102.tif 000009
【図８】
2015011102.tif 000010
【図９】
2015011102.tif 000011
【図１０】
2015011102.tif 000012
【図１１】
2015011102.tif 000013
【図１２】
2015011102.tif 000014
【図１３】
2015011102.tif 000015
【図１４】
2015011102.tif 000016
【図１５】
2015011102.tif 000017
【図１６】
2015011102.tif 000018
【図１７】
2015011102.tif 000019
【図１８】
2015011102.tif 000020
【図１９】
2015011102.tif 000021
【図２０】
2015011102.tif 000022
【図２１】
2015011102.tif 000023